(57)【要約】【課題】  上部食器洗い部および下部食器洗い部を食器洗い機本体内に独立して上下２段に設けた食器洗い機において、上部食器洗い部および下部食器洗い部の運転コースなどの設定を行う操作設定手段を上部食器洗い部にまとめて設けることにより、操作設定や運転中の確認を容易にできるようにする。【解決手段】  食器洗い機本体３内に上部食器洗い部１および下部食器洗い部２を独立して上下２段に設け、これら上部食器洗い部１および下部食器洗い部２の運転コースなどを上部操作設定手段１９ａおよび下部操作設定手段１９ｂにより設定する。上部操作設定手段１９ａおよび下部操作設定手段１９ｂを上部食器洗い部１に設ける。【選択図】  図１
2005087270.tif 000002
【特許請求の範囲】
【請求項１】
食器洗い機本体と、この食器洗い機本体内に独立して上下２段に設けた上部食器洗い部および下部食器洗い部と、これら上部食器洗い部および下部食器洗い部の運転コースなどを設定する上部操作設定手段および下部操作設定手段とを備え、前記上部操作設定手段および下部操作設定手段を上部食器洗い部に設けた食器洗い機。
【請求項２】
上部食器洗い部の運転コースなどを表示する上部表示手段と、下部食器洗い部の運転コースなどを表示する下部表示手段とを備え、前記上部表示手段および下部表示手段を上部食器洗い部に設けた請求項１記載の食器洗い機。
【請求項３】
上部操作設定手段および下部操作設定手段と上部表示手段および下部表示手段は、上部食器洗い部に上下２段に設けた請求項２記載の食器洗い機。
【請求項４】
上部操作設定手段および下部操作設定手段と上部表示手段および下部表示手段は、上部食器洗い部に左右２列に設けた請求項２記載の食器洗い機。
【請求項５】
上部食器洗い部の運転コースなどを表示する上部表示手段と、下部食器洗い部の運転コースなどを表示する下部表示手段とを備え、前記上部表示手段は上部食器洗い部に設け、下部表示手段は下部食器洗い部に設けた請求項１記載の食器洗い機。
【請求項６】
上部食器洗い部および下部食器洗い部の電源の入り切りを行う電源スイッチを備え、前記電源スイッチを前記上部食器洗い部に設けた請求項１記載の食器洗い機。
【請求項７】
上部食器洗い部および下部食器洗い部の電源の入り切りを同時に行う電源スイッチを備え、前記電源スイッチを前記上部食器洗い部に設けた請求項１記載の食器洗い機。
【請求項８】
上部食器洗い部の運転コースなどを表示する上部表示手段と、下部食器洗い部の運転コースなどを表示する下部表示手段とを備え、前記上部表示手段は上部食器洗い部に設け、前記下部表示手段は表示項目の少なくとも一部の項目を下部食器洗い部に設けた請求項１記載の食器洗い機。
【請求項９】
下部表示手段は、少なくとも運転の進行状態を表示する表示手段を下部食器洗い部に設けた請求項８記載の食器洗い機。
【請求項１０】
下部表示手段は、少なくとも運転状態であることを表示する表示手段を下部食器洗い部に設けた請求項８記載の食器洗い機。
【請求項１１】
下部表示手段は、少なくとも運転の残時間を表示する表示手段を下部食器洗い部に設けた請求項８記載の食器洗い機。
【発明の詳細な説明】
【技術分野】
【０００１】
本発明は、上部食器洗い部および下部食器洗い部を食器洗い機本体内に独立して上下２段に設けた食器洗い機に関するものである。
【背景技術】
【０００２】
食器洗い機本体内に食器洗い部を上下独立して２セット内蔵した従来の食器洗い機において、多量の食器を洗う場合、上部食器洗い部と下部食器洗い部を使用して実行し、少量の食器を洗う場合は上下食器洗い部のいずれかを使用して実行する（例えば、特許文献１参照）。
【特許文献１】特許第３２１５４２２号公報（第１図）
【発明の開示】
【発明が解決しようとする課題】
【０００３】
上記従来の構成による食器洗い機は、運転コースなどの設定を行う操作設定手段を上部食器洗い部および下部食器洗い部それぞれに設けていた。このため、特に、下部食器洗い部を使って運転する場合、電源スイッチの操作や運転コースの設定などを行う際、下部食器洗い部の操作設定手段は床面から約３０〜４０ｃｍの所にあり、操作するために屈んで行う必要があった。
【０００４】
本発明は上記従来の課題を解決するもので、上部食器洗い部および下部食器洗い部の運転コースなどの設定を行う操作設定手段を上部食器洗い部にまとめて設けることにより、操作設定や運転中の確認を容易にできるようにすることを目的としている。
【課題を解決するための手段】
【０００５】
本発明は上記目的を達成するために、食器洗い機本体内に上部食器洗い部および下部食器洗い部を独立して上下２段に設け、これら上部食器洗い部および下部食器洗い部の運転コースなどを上部操作設定手段および下部操作設定手段により設定するよう構成し、上部操作設定手段および下部操作設定手段を上部食器洗い部に設けたものである。
【０００６】
これにより、上部食器洗い部および下部食器洗い部ともに、操作設定や運転中の確認を容易にすることができる。
【発明の効果】
【０００７】
本発明の食器洗い機は、食器洗い機本体内に独立した上部食器洗い部および下部食器洗い部を上下２段に設けたものにあって、上部食器洗い部および下部食器洗い部ともに、操作設定や運転中の確認を容易にすることができる。
【発明を実施するための最良の形態】
【０００８】
第１の発明は、食器洗い機本体と、この食器洗い機本体内に独立して上下２段に設けた上部食器洗い部および下部食器洗い部と、これら上部食器洗い部および下部食器洗い部の運転コースなどを設定する上部操作設定手段および下部操作設定手段とを備え、前記上部操作設定手段および下部操作設定手段を上部食器洗い部に設けたものであり、特に下部食器洗い部を使って運転する場合、電源スイッチの操作や運転コースの設定などを行う際、操作するために屈んで行う必要がなくなり、操作設定や運転中の確認を容易にすることができる。
【０００９】
第２の発明は、上記第１の発明において、上部食器洗い部の運転コースなどを表示する上部表示手段と、下部食器洗い部の運転コースなどを表示する下部表示手段とを備え、前記上部表示手段および下部表示手段を上部食器洗い部に設けたものであり、特に下部食器洗い部の運転中において、今動作している運転コースなどの確認する際、屈んで行う必要がなくなり、運転中の確認を容易にすることができる。
【００１０】
第３の発明は、上記第２の発明において、上部操作設定手段および下部操作設定手段と上部表示手段および下部表示手段は、上部食器洗い部に上下２段に設けたものであり、上下の食器洗い部の操作設定と今動作している運転コースなどを確認する際、上下の食器洗い部と表示手段との対応が直感的に分かり易くなり、操作設定や運転中の確認を容易にすることができる。
【００１１】
第４の発明は、上記第２の発明において、上部操作設定手段および下部操作設定手段と上部表示手段および下部表示手段は、上部食器洗い部に左右２列に設けたものであり、上下の食器洗い部の今動作している運転コースなどの確認する際、それぞれの表示手段は左右に独立しているため、上下の食器洗い部の動作確認時に見誤りを防ぐことができ、運転中の確認を容易にすることができる。
【００１２】
第５の発明は、上記第１の発明において、上部食器洗い部の運転コースなどを表示する上部表示手段と、下部食器洗い部の運転コースなどを表示する下部表示手段とを備え、前記上部表示手段は上部食器洗い部に設け、下部表示手段は下部食器洗い部に設けたものであり、上下の食器洗い部の今動作している運転コースなどの確認する際、見誤ることを防ぐことができる。
【００１３】
第６の発明は、上記第１の発明において、上部食器洗い部および下部食器洗い部の電源の入り切りを行う電源スイッチを備え、前記電源スイッチを前記上部食器洗い部に設けたものであり、特に下部食器洗い部の電源の入り切りを屈んで行う必要がなくなり、電源スイッチの操作を容易にすることができる。
【００１４】
第７の発明は、上記第１の発明において、上部食器洗い部および下部食器洗い部の電源の入り切りを同時に行う電源スイッチを備え、前記電源スイッチを前記上部食器洗い部に設けたものであり、上下の食器洗い部を同時に電源の入り切りを行うことができる。
【００１５】
第８の発明は、上記第１の発明において、上部食器洗い部の運転コースなどを表示する上部表示手段と、下部食器洗い部の運転コースなどを表示する下部表示手段とを備え、前記上部表示手段は上部食器洗い部に設け、前記下部表示手段は表示項目の少なくとも一部の項目を下部食器洗い部に設けたものであり、食器洗い部の上下共に対して見誤り易い表示手段の項目をなくすることができる。
【００１６】
第９の発明は、上記第８の発明において、下部表示手段は、少なくとも運転の進行状態を表示する表示手段を下部食器洗い部に設けたものであり、特に下部食器洗い部の運転中において、今運転している行程の確認の際、見誤ることなく容易にできる。
【００１７】
第１０の発明は、上記第８の発明において、下部表示手段は、少なくとも運転状態であることを表示する表示手段を下部食器洗い部に設けたものであり、特に下部食器洗い部の運転中において、今運転中である確認を見誤ることなく容易にできる。
【００１８】
第１１の発明は、上記第８の発明において、下部表示手段は、少なくとも運転の残時間を表示する表示手段を下部食器洗い部に設けたものであり、特に下部食器洗い部の運転中において、その運転の残時間の確認を見誤ることなく容易にできる。
【００１９】
以下、本発明の実施の形態について、図面を参照しながら説明する。なお、この実施の形態によって本発明が限定されるものではない。
【００２０】
（実施の形態１）
図２に示すように、上部食器洗い部１と下部食器洗い部２は、それぞれ独立して食器の洗浄に必要な構成を有し、食器洗い機本体３内に上下２段に設けている。ここで、その構成要素を上部食器洗い部１を例として説明する。
【００２１】
食器洗い機本体３は上部食器洗い部１および下部食器洗い部２を収容し前方を開放している。上方を開口した洗浄槽４を食器洗い機本体３より前方に引き出し可能に設け、この洗浄槽４内には食器を収納する食器かご５を設けている。洗浄槽４は食器洗い機本体３と洗浄槽４に設けたレール６、７により、前方に引き出し可能としている。
【００２２】
また、洗浄槽４内には、洗浄槽４内の洗浄水を加熱する加熱手段としてヒータ８を設け、洗浄槽４の後方下部に洗浄ポンプ９を設け、洗浄ノズル１０より洗浄水を噴射して食器かご５に収納した食器を洗浄するように構成している。給水弁１１は水道水を洗浄槽４に給水するもので、食器洗い機本体３に固定している。排水ポンプ１２は洗浄槽４内の洗浄水を排水するもので、本実施の形態では、洗浄ポンプ９を逆回転することにより排水ポンプとして機能するように構成している。
【００２３】
給水ホース１３は一端を給水弁１１に接続し、他端を洗浄槽４に接続して水道水を洗浄槽４に給水する。排水ホース１４は一端を排水ポンプ１２に接続し、他端を食器洗い機本体３に固定して、洗浄槽４内の洗浄水を排水する構成としている。
【００２４】
ホースホルダー１５は、給水ホース１３、排水ホース１４、電源供給のためのリード線、給水弁１１を制御するためのリード線などを保持している。ホースホルダー１５はＶ次形状のパンタグラフ構成としておりＶ字形の広がりにより洗浄槽４を前方に引き出したときの給水ホース１３や排水ホース１４などを伸縮させる機能を有している。
【００２５】
内蓋１６は食器洗い機本体３の内部に設けており、洗浄槽４を食器洗い機本体３内に収納したとき、洗浄槽４の上方の開口部を閉塞するものである。洗浄槽４の上方の開口部を閉塞する手段として、食器洗い機本体３と内蓋１６をリンク（図示せず）により連結し、洗浄槽４を食器洗い機本体３内へ挿入したときに下降し、洗浄槽４の上方を閉塞するように構成している。扉１７は洗浄槽４の前面に設け、この扉１７内に洗浄ポンプ９やヒータ８などの負荷を制御する制御装置１８を設けている。
【００２６】
つぎに、図１に示すように、上部操作設定手段１９ａは、上部食器洗い部１の運転コースなどを設定するもので、上部食器洗い部１に設けている。下部操作設定手段１９ｂは、下部食器洗い部２の運転コースなどを設定するもので、上部食器洗い部１に設けている。
【００２７】
上部操作設定手段１９ａと下部操作設定手段１９ｂは、図３に示すように、それぞれ電源スイッチ２０ａ・２０ｂ、スタートスイッチ２１ａ・２１ｂ、乾燥時間設定スイッチ２２ａ・２２ｂ、運転コース設定スイッチ２３ａ・２３ｂを有している。
【００２８】
また、上部食器洗い部１には運転コースなどを使用者に知らせる表示手段を設けている。表示手段は、上部食器洗い部１の運転状況を知らせる上部表示手段２４ａと下部食器洗い部２の運転状況を知らせる下部表示手段２４ｂとで構成している。上部表示手段２４ａと下部表示手段２４ｂは、それぞれ電源入り表示ランプ２５ａ・２５ｂ、乾燥時間表示ランプ２６ａ・２６ｂ、運転コース表示ランプ２７ａ・２７ｂ、残時間表示装置２８ａ・２８ｂを有している。
【００２９】
上記構成において動作、作用を説明する。利用者が上部食器洗い部１の洗浄槽４および下部食器洗い部２の洗浄槽４を前方に引き出し、それぞれ食器を食器かご５にセットし、洗浄槽４内に洗剤を入れた後、洗浄槽４を食器洗い機本体３内に収納する。このとき、内蓋１６により洗浄槽４の上方の開口部が閉塞される。
【００３０】
つぎに、利用者は、上部食器洗い部１および下部食器洗い部２の運転コースなどを、上部操作設定手段１９ａおよび下部操作設定手段１９ｂを操作して設定する。このとき、特に下部食器洗い部２の運転コース等を設定する際に、下部操作設定手段１９ｂは上部食器洗い部１に設けてあるため、屈みこむ必要なく容易に操作設定が可能となる。
【００３１】
その後、電源スイッチ２０ａ、２０ｂを操作して運転を開始すると、制御装置１８により、ヒータ８、洗浄ポンプ９、給水弁１１、排水ポンプ１２などの運転を制御し、食器かご５に収納した食器の洗浄、すすぎ、乾燥が行われる。
【００３２】
運転途中において、上部表示手段２４ａと下部表示手段２４ｂを上部食器洗い部１に上下２段に設けているため、上下の食器洗い部の今動作している運転コースなどを確認する際、上下の食器洗い部と表示手段との対応が直感的に分かり易くなる。
【００３３】
その後、乾燥行程が行われ、送風機（図示せず）を動作させることにより、送風経路（図示せず）を通って外気が洗浄槽４内に送風され、排気口２９から食器洗い機本体３外へ排出される。このとき、ヒータ８に間欠通電し、送風と温度の両方の効果によって食器に付着した水滴の蒸発を促進する。所定時間これらの乾燥行程を行い、運転を終了する。
【００３４】
以上のように、本実施の形態においては、上部操作設定手段１９ａおよび下部操作設定手段１９ｂを上部食器洗い部１に設けたので、特に下部食器洗い部を使って運転する場合、電源スイッチ２０ａ、２０ｂの操作や運転コースの設定などを行う際、操作するために屈んで行う必要がなくなり、操作設定や運転中の確認を容易にすることができる。
【００３５】
また、上部食器洗い部１の運転コースなどを表示する上部表示手段２４ａと、下部食器洗い部２の運転コースなどを表示する下部表示手段２４ｂとを上部食器洗い部１に設けたので、特に下部食器洗い部２の運転中において、今動作している運転コースなどの確認する際、屈んで行う必要がなくなり、運転中の確認を容易にすることができる。
【００３６】
また、上部操作設定手段１９ａおよび下部操作設定手段１９ｂと上部表示手段２４ａおよび下部表示手段２４ｂは、上部食器洗い部１に上下２段に設けたので、上下の食器洗い部の操作設定と今動作している運転コースなどを確認する際、上下の食器洗い部と表示手段との対応が直感的に分かり易くなり、操作設定や運転中の確認を容易にすることができる。
【００３７】
（実施の形態２）
図４に示すように、上部操作設定手段１９ａおよび下部操作設定手段１９ｂと上部表示手段２４ａおよび下部表示手段２４ｂは、上部食器洗い部１に左右２列に設けている。他の構成は上記実施の形態１と同じである。
【００３８】
上記構成において作用を説明する。利用者が、上下の食器洗い部の運転コース等の操作設定や今動作している運転コースなどの確認する際、上部表示手段２４ａおよび下部表示手段２４ｂは、左右に独立しているため、上下の食器洗い部の操作設定や動作確認時に操作誤りや見誤りを防ぐことができる。
【００３９】
以上のように、本実施の形態においては、上部操作設定手段１９ａおよび下部操作設定手段１９ｂと上部表示手段２４ａおよび下部表示手段２４ｂは、上部食器洗い部１に左右２列に設けたので、上下の食器洗い部の今動作している運転コースなどの確認する際、それぞれの表示手段は左右に独立しているため、上下の食器洗い部の動作確認時に見誤りを防ぐことができ、運転中の確認を容易にすることができる。
【００４０】
（実施の形態３）
図５に示すように、上部操作設定手段１９ａおよび下部操作設定手段１９ｂと上部表示手段２４ａは上部食器洗い部１に設け、下部表示手段２４ｂは下部食器洗い部２に設けている。また、上部食器洗い部１と下部食器洗い部２の電源の入り切りを行うそれぞれの電源スイッチ２０ａと２０ｂを上部食器洗い部１に設けている。他の構成は上記実施の形態１と同じである。
【００４１】
上記構成において作用を説明する。利用者が、上下の食器洗い部の今動作している運転コースなどの確認する際、それぞれの表示手段はそれぞれ上部食器洗い部１および下部食器洗い部２にあるため、上下の食器洗い部の動作確認時に見誤りを防ぐことができる。
【００４２】
また、電源スイッチ２０ａ、２０ｂを上部食器洗い部１に設けているので、特に下部食器洗い部２の電源の入り切りを屈んで行う必要がなくなる。
【００４３】
以上のように、本実施の形態においては、上部食器洗い部１の運転コースなどを表示する上部表示手段２４ａは上部食器洗い部１に設け、下部食器洗い部２の運転コースなどを表示する下部表示手段２４ｂは下部食器洗い部２に設けたので、上下の食器洗い部の今動作している運転コースなどの確認する際、見誤るのを防ぐことができる。
【００４４】
また、上部食器洗い部１および下部食器洗い部２の電源の入り切りを行う電源スイッチ２０ａ、２０ｂを上部食器洗い部１に設けたので、特に下部食器洗い部２の電源の入り切りを屈んで行う必要がなくなり、電源スイッチの操作を容易にすることができる。
【００４５】
（実施の形態４）
図６に示すように、電源スイッチ３０は、上部食器洗い部１および下部食器洗い部２の電源の入り切りを同時に行うもので、この電源スイッチ３０を上部食器洗い部１に設けている。他の構成は上記実施の形態１と同じである。
【００４６】
上記構成において作用を説明する。電源スイッチ３０により、上下の食器洗い部を同時に電源の入り切りを行うことができる。
【００４７】
以上のように、本実施の形態においては、上部食器洗い部１および下部食器洗い部２の電源の入り切りを同時に行う電源スイッチ３０を上部食器洗い部１に設けたのであ上下の食器洗い部を同時に電源の入り切りを行うことができる。
【００４８】
（実施の形態５）
図７に示すように、上部表示手段２４ａは、上部食器洗い部１の運転コースなどを表示するもので、この上部表示手段２４ａは上部食器洗い部１に設け、下部表示手段２４ｂは、下部食器洗い部２の運転コースなどを表示するもので、この下部表示手段２４ｂは表示項目の少なくとも一部の項目、例えば、運転の進行状態、すなわち、洗い、すすぎ、乾燥の行程を表示するランプ２３ｂを下部食器洗い部２に設けている。他の構成は上記実施の形態１と同じである。
【００４９】
上記構成において作用を説明する。下部表示手段２４ｂは表示項目の少なくとも一部の項目を下部食器洗い部２に設けることで、食器洗い部の上下共に対して見誤り易い表示手段の項目がなくなる。また、下部表示手段２４ｂは、運転の進行状態、すなわち、洗い、すすぎ、乾燥の行程を表示するランプ２３ｂを下部食器洗い部２に設けることにより、特に下部食器洗い部２の運転中において、今運転している行程の確認の際見誤ることなく容易にできる。
【００５０】
以上のように、本実施の形態においては、上部食器洗い部１の運転コースなどを表示する上部表示手段２４ａは上部食器洗い部１に設け、下部食器洗い部２の運転コースなどを表示する下部表示手段２４ｂは表示項目の少なくとも一部の項目を下部食器洗い部２に設けたので、食器洗い部の上下共に対して見誤り易い表示手段の項目をなくすることができる。
【００５１】
また、下部表示手段２４ｂは、少なくとも運転の進行状態を表示する表示手段を下部食器洗い部２に設けたので、特に下部食器洗い部２の運転中において、今運転している行程の確認の際、見誤ることなく容易にできる。
【００５２】
（実施の形態６）
図８に示すように、下部表示手段２４ｂは、少なくとも運転状態であることを表示する表示手段、例えば電源入り表示ランプ２５ｂを下部食器洗い部２に設けている。他の構成は上記実施の形態１と同じである。
【００５３】
上記構成において作用を説明する。下部表示手段２４ｂは、運転状態であることを表示する電源入り表示ランプ２５ｂを下部食器洗い部２に設けることにより、特に下部食器洗い部２の運転中において、今運転中である確認が見誤ることなく容易にできる。
【００５４】
以上のように、本実施の形態においては、下部表示手段２４ｂは、少なくとも運転状態であることを表示する表示手段を下部食器洗い部２に設けたので、特に下部食器洗い部２の運転中において、今運転中である確認を見誤ることなく容易にできる。
【００５５】
（実施の形態７）
図９に示すように、下部表示手段２４ｂは、少なくとも運転の残時間を表示する表示手段、例えば残時間表示装置２８ｂを下部食器洗い部２に設けている。他の構成は上記実施の形態１と同じである。
【００５６】
上記構成において作用を説明する。下部表示手段２４ｂは、少なくとも運転の残時間を表示する残時間表示装置２８ｂを下部食器洗い部２に設けたので、特に下部食器洗い部２の運転中において、その運転の残時間の確認が見誤ることなく容易にできる。
【００５７】
以上のように、本実施の形態においては、下部表示手段２４ｂは、少なくとも運転の残時間を表示する表示手段を下部食器洗い部２に設けたので、特に下部食器洗い部２の運転中において、その運転の残時間の確認を見誤ることなく容易にできる。
【産業上の利用可能性】
【００５８】
以上のように、本発明にかかる食器洗い機は、食器洗い機本体内に設けた上部食器洗い部および下部食器洗い部ともに、操作設定や運転中の確認を容易にできるので、上部食器洗い部および下部食器洗い部を食器洗い機本体内に独立して上下２段に設けた食器洗い機に有用である。
【図面の簡単な説明】
【００５９】
【図１】本発明の実施の形態１の食器洗い機の斜視図
【図２】同食器洗い機の側断面図
【図３】同食器洗い機の操作パネルの拡大正面図
【図４】本発明の実施の形態２の食器洗い機の操作パネルの正面図
【図５】本発明の実施の形態３の食器洗い機の正面図
【図６】本発明の実施の形態４の食器洗い機の操作パネルの正面図
【図７】本発明の実施の形態５の食器洗い機の正面図
【図８】本発明の実施の形態６の食器洗い機の正面図
【図９】本発明の実施の形態７の食器洗い機の正面図
【符号の説明】
【００６０】
１  上部食器洗い部
２  下部食器洗い部
３  食器洗い機本体
１９ａ  上部操作設定手段
１９ｂ  下部操作設定手段
【図１】
2005087270.tif 000003
【図２】
2005087270.tif 000004
【図３】
2005087270.tif 000005
【図４】
2005087270.tif 000006
【図５】
2005087270.tif 000007
【図６】
2005087270.tif 000008
【図７】
2005087270.tif 000009
【図８】
2005087270.tif 000010
【図９】
2005087270.tif 000011